(57)【要約】【課題】ネットワークを介して作動状態変更お知らせが可能なデバイス及びその通信方法を提供する。【解決手段】ユーザが使用することができ、ネットワーク通信が可能なデバイス間のネットワークを形成し、デバイス間ネットワーク中の第１デバイスの作動状態が変更されれば、デバイス間ネットワークのうち、ユーザが現在使用中である少なくとも１つのデバイスを検索し、検索された少なくとも１つのデバイスに、第１デバイスの作動状態変更についての情報を伝送することによって、第１デバイスの作動状態変更についての情報が、他のデバイスのディスプレイ部に表示されうるようにするデバイス状態変更お知らせ方法である。【選択図】図１
2011045083.tif 000002
【特許請求の範囲】
【請求項１】
ユーザが使用することができ、ネットワーク通信が可能な第１デバイス及び少なくとも１つのデバイスを含むデバイス間のネットワークを形成する段階と、
前記デバイス間ネットワークのうち、前記ユーザが現在使用中である少なくとも１つのデバイスを検索した前記第１デバイスから、前記ユーザが現在使用中である少なくとも１つのデバイスが、前記第１デバイスの作動状態変更についての情報を受信する段階と、
前記ユーザが現在使用中である少なくとも１つのデバイスのそれぞれのディスプレイ部に、前記第１デバイスの作動状態変更についての情報を表示する段階と、を含むことを特徴とする他デバイス状態変更お知らせ方法。
【請求項２】
前記他デバイス状態変更お知らせ方法は、
前記デバイス間ネットワーク中の、前記ユーザが現在使用中である第２デバイスは、前記ユーザが現在使用中であることを示す信号を生成する段階を含むことを特徴とする請求項１に記載の他デバイス状態変更お知らせ方法。
【請求項３】
前記ユーザが現在使用中であることを示す信号生成段階は、
前記第１デバイスから、前記ユーザが現在使用中であるデバイスを検索する信号を受信すれば、前記デバイス間ネットワーク中の、前記ユーザが現在使用中である第２デバイスは、前記ユーザが現在使用中であることを示す信号を、前記第１デバイスに伝送する段階を含むことを特徴とする請求項２に記載の他デバイス状態変更お知らせ方法。
【請求項４】
前記他デバイス状態変更お知らせ方法は、
前記デバイス間ネットワーク中の第２デバイスで、前記ユーザが現在使用中であることが認知されれば、前記第２デバイスは、前記ユーザが現在使用中であることを示す信号を生成して送出する段階をさらに含むことを特徴とする請求項２に記載の他デバイス状態変更お知らせ方法。
【請求項５】
前記ユーザが現在使用中であることを示す信号は、現在から所定時間以内に、前記第２デバイスに対して前記ユーザからの入力があったか否か、前記ユーザのログイン状態、及び前記ユーザに対するセンサ反応結果のうち、少なくとも一つに基づいて生成されることを特徴とする請求項２に記載の他デバイス状態変更お知らせ方法。
【請求項６】
前記作動状態変更についての情報は、前記第１デバイスの作動状態が変更についてのお知らせ情報と、前記第１デバイスの変更された作動状態に係わる内容を表示する内容情報とを含むことを特徴とする請求項１に記載の他デバイス状態変更お知らせ方法。
【請求項７】
前記他デバイス状態変更お知らせ方法は、
前記ユーザが、現在使用中である第２デバイスを介して、前記お知らせ情報を受信確認する段階と、
前記内容情報に基づいて、前記第２デバイスに前記受信された第１デバイスの変更された作動状態に係わる内容を表示する段階と、をさらに含むことを特徴とする請求項６に記載の他デバイス状態変更お知らせ方法。
【請求項８】
前記他デバイス状態変更お知らせ方法は、
前記受信された内容情報を、前記ユーザが現在使用中である第２デバイスが表示できるフォーマットに変更する段階と、
前記変更されたフォーマットの内容情報に基づいて、前記第２デバイスに、前記第１デバイスの変更された作動状態に係わる内容を表示する段階と、をさらに含むことを特徴とする請求項６に記載の他デバイス状態変更お知らせ方法。
【請求項９】
前記他デバイス状態変更お知らせ方法は、
前記受信された内容情報に基づいて、前記ユーザが現在使用中である第２デバイスに、前記第１デバイスの変更された作動状態に係わる内容を表示する段階をさらに含み、
前記受信された内容情報は、前記ユーザのデバイス間のネットワークの管理サーバを介して、前記第２デバイスで再生できるフォーマットに変更された後、前記第２デバイスで受信されたことを特徴とする請求項６に記載の他デバイス状態変更お知らせ方法。
【請求項１０】
前記他デバイス状態変更お知らせ方法は、
前記受信された内容情報に基づいて、前記ユーザが現在使用中である第２デバイスに、前記第１デバイスの変更された作動状態に係わる内容を表示する段階をさらに含み、
前記受信された内容情報は、前記第１デバイスで、前記検索された少なくとも１つのデバイスで再生できるフォーマットに変更された後、前記第２デバイスで受信されたことを特徴とする請求項６に記載の他デバイス状態変更お知らせ方法。
【請求項１１】
ユーザが使用することができ、ネットワーク通信が可能なデバイス間のネットワークを形成する段階と、
前記デバイス間ネットワーク中の第１デバイスの作動状態が変更されれば、前記デバイス間ネットワークのうち、前記ユーザが現在使用中である少なくとも１つのデバイスを検索する段階と、
前記検索された少なくとも１つのデバイスに、前記第１デバイスの作動状態変更についての情報を伝送する段階と、を含み、
前記第１デバイスの作動状態変更についての情報は、前記検索された少なくとも１つのデバイスのうちそれぞれのディスプレイ部に表示されうることを特徴とするデバイス状態変更お知らせ方法。
【請求項１２】
ユーザが使用することができ、ネットワーク通信が可能なデバイス間のネットワーク通信を行うネットワーク通信部と、
前記デバイス間ネットワーク中の第１デバイスの作動状態が変更されれば、前記デバイス間ネットワークのうち、前記ユーザが現在使用中である少なくとも１つのデバイスを検索し、前記検索された少なくとも１つのデバイスに、前記第１デバイスの作動状態変更についての情報を生成して伝送する作動状態変更情報伝送部と、を含み、
前記第１デバイスの作動状態変更についての情報は、前記検索された少なくとも１つのデバイスのうちそれぞれのディスプレイ部に表示されうることを特徴とする作動状態変更お知らせが可能なデバイス。
【請求項１３】
ユーザが使用することができ、ネットワーク通信が可能な第１デバイスを含むデバイス間のネットワーク通信を行うネットワーク通信部と、
前記デバイス間ネットワークのうち、前記ユーザが現在使用中である少なくとも１つのデバイスを検索した前記第１デバイスから、前記第１デバイスの作動状態変更についての情報を受信する他デバイス作動状態変更情報受信部と、
ディスプレイ部と、
前記ディスプレイ部に、前記第１デバイスの作動状態変更についての情報を表示するように制御する他デバイス作動状態変更お知らせ制御部と、を含むことを特徴とする他デバイスの作動状態変更お知らせが可能なデバイス。
【請求項１４】
請求項１に記載の他デバイス状態変更お知らせ方法を具現するためのプログラムが記録されたコンピュータで読み取り可能な記録媒体。
【請求項１５】
請求項１１に記載のデバイス状態変更お知らせ方法を具現するためのプログラムが記録されたコンピュータで読み取り可能な記録媒体。
【発明の詳細な説明】
【技術分野】
【０００１】
本発明は、ネットワークを介して構築されたデバイス間の情報共有に関する。
【背景技術】
【０００２】
ほとんどの電子機器は、ネットワークを介した通信機能を具備しており、多様な情報の表現のために、ディスプレイ画面を具備している。ユーザが数多くの電子機器を保有するようになりつつ、あらゆる電子機器を持ち歩くということは事実上困難である。このために、現在ユーザが所持してはいないが、作動状態が変更された電子機器に対して、ユーザがすぐさま対応できないという場合が多い。
【０００３】
ユーザに異なる携帯通信機器の作動状態変更を知らせるために、物理的に近隣に位置する携帯通信機器間に、ショートメッセージ・サービス（ＳＭＳ）または、マルチメディアメッセージ・サービス（ＭＭＳ）のようなメディア・コンテンツの共有方式に係わっては、特許文献１に記載されている。
【先行技術文献】
【特許文献】
【０００４】
【特許文献１】米国特許第７，３３６，９２８号明細書
【発明の概要】
【発明が解決しようとする課題】
【０００５】
本発明は、ネットワーク通信が可能なデバイス間で状態変更についての情報を共有するための技術を提供するところに目的がある。
【課題を解決するための手段】
【０００６】
本発明の一実施形態によるデバイス状態変更お知らせ方法は、ユーザが使用することができ、ネットワーク通信が可能なデバイス間のネットワークを形成する段階と、前記デバイス間ネットワーク中の第１デバイスの作動状態が変更されれば、前記デバイス間ネットワークのうち、前記ユーザが現在使用中である少なくとも１つのデバイスを検索する段階と、前記検索された少なくとも１つのデバイスに、前記第１デバイスの作動状態変更についての情報を伝送する段階とを含み、前記第１デバイスの作動状態変更についての情報は、前記検索された少なくとも１つのデバイスのうちそれぞれのディスプレイ部に表示されうる。
【０００７】
一実施形態によるデバイス状態変更お知らせ方法の前記検索段階は、前記第１デバイスの作動状態が変更された後、所定時間の間、ユーザからの入力を待機する段階と、前記所定時間後、前記デバイス間ネットワークのうち、前記ユーザが現在使用中である少なくとも１つのデバイスを検索する段階とを含むことができる。
【０００８】
一実施形態によるデバイス状態変更お知らせ方法の前記検索段階は、前記デバイス間ネットワークのうち、前記ユーザが現在使用中であるデバイスを検索できないならば、前記第１デバイスがアクセス可能な共有ネットワークのうち、前記ユーザが現在使用中であるデバイスを検索する段階を含むことができる。
【０００９】
一実施形態によるデバイス状態変更お知らせ方法の前記検索段階は、前記デバイス間ネットワークのうち、前記ユーザが現在使用中であるデバイスを検索できないならば、前記第１デバイスがアクセス可能なデバイスのリストを検索し、前記ユーザが現在使用中であるデバイスを検索する段階を含むことができる。
【００１０】
一実施形態によるデバイス状態変更お知らせ方法の前記検索段階は、前記デバイス間ネットワークの少なくとも１つのデバイスに、前記ユーザが現在使用中であるデバイスを検索するという信号を伝送する段階を含むことができる。
【００１１】
一実施形態によるデバイス状態変更お知らせ方法の前記検索段階は、前記デバイス間ネットワークの少なくとも１つのデバイスから、前記ユーザの現在使用いかんを示す情報を受信する段階を含むことができる。
【００１２】
一実施形態によるデバイス状態変更お知らせ方法の前記検索段階は、前記デバイス間ネットワークの少なくとも１つのデバイスに対して、所定時間以内に、前記ユーザからの入力があったか否かを探索する段階と、前記所定時間以内に、前記ユーザからの入力があったデバイスを、前記ユーザが現在使用中であるデバイスであると判断する段階とを含むことができる。
【００１３】
一実施形態による前記作動状態変更についての情報は、前記第１デバイスの作動状態が変更についてのお知らせ情報と、前記第１デバイスの変更された作動状態に係わる内容を表示する内容情報とを含むことができる。
【００１４】
一実施形態による前記第１デバイス作動状態変更についての情報伝送段階は、前記第１デバイスの変更された作動状態に係わる内容を、前記検索された少なくとも１つのデバイスが表示できるフォーマットに変更して伝送できる。
【００１５】
一実施形態による前記内容情報は、前記ユーザのデバイス間のネットワークの管理サーバを介して、前記検索された少なくとも１つのデバイスで再生されうるフォーマットに変更されて伝送されうる。
【００１６】
一実施形態による前記第１デバイスの作動状態変更は、メッセージ受信を含むことができる。
【００１７】
一実施形態によるデバイス状態変更お知らせ方法の、前記デバイス間ネットワークに属した少なくとも１つのデバイスは、それぞれのディスプレイ部を具備する。
【００１８】
本発明の一実施形態による他デバイス状態変更お知らせ方法は、ユーザが使用することができ、ネットワーク通信が可能な第１デバイス及び少なくとも１つのデバイスを含むデバイス間のネットワークを形成する段階と、前記デバイス間ネットワークのうち、前記ユーザが現在使用中である少なくとも１つのデバイスを検索した前記第１デバイスから、前記ユーザが現在使用中である少なくとも１つのデバイスが、前記第１デバイスの作動状態変更についての情報を受信する段階と、前記ユーザが現在使用中である少なくとも１つのデバイスのそれぞれのディスプレイ部に、前記第１デバイスの作動状態変更についての情報を表示する段階とを含む。
【００１９】
一実施形態による前記他デバイス状態変更お知らせ方法は、前記デバイス間ネットワーク中の、前記ユーザが現在使用中である第２デバイスは、前記ユーザが現在使用中であることを示す信号を生成する段階を含むことができる。
【００２０】
一実施形態による前記ユーザが現在使用中であることを示す信号生成段階は、前記第１デバイスから、前記ユーザが現在使用中であるデバイスを検索する信号を受信すれば、前記デバイス間ネットワーク中の、前記ユーザが現在使用中である第２デバイスは、前記ユーザが現在使用中であることを示す信号を、前記第１デバイスに伝送する段階を含むことができる。
【００２１】
一実施形態による前記他デバイス状態変更お知らせ方法は、前記デバイス間ネットワーク中の第２デバイスで、前記ユーザが現在使用中であることが認知されれば、前記第２デバイスは、前記ユーザが現在使用中であることを示す信号を生成して送出する段階をさらに含むことができる。
【００２２】
一実施形態による前記ユーザが現在使用中であることを示す信号は、現在から所定時間以内に、前記第２デバイスに対して前記ユーザからの入力があったか否か、前記ユーザのログイン状態、及び前記ユーザに対するセンサ反応結果のうち、少なくとも一つに基づいて生成されうる。
【００２３】
一実施形態による前記ディスプレイ部表示段階は、前記第１デバイスの状態変更お知らせ情報を表示する画面が、前記ディスプレイ部上で図示される位置または大きさを設定する段階を含むことができる。
【００２４】
一実施形態による前記他デバイス状態変更お知らせ方法は、前記デバイス間ネットワーク中の第２デバイスは、前記第１デバイスの状態変更お知らせ情報を、前記第２デバイスのディスプレイ部に表示するか否かを設定する段階をさらに含むことができる。
【００２５】
一実施形態による前記他デバイス状態変更お知らせ方法は、前記デバイス間ネットワーク中の第２デバイスは、前記第１デバイスから受信された前記第１デバイスの状態変更情報を、前記デバイス間ネットワークのうち、前記ユーザが使用中である他のデバイスに伝達する段階をさらに含むことができる。
【００２６】
一実施形態による前記他デバイス状態変更お知らせ方法は、前記ユーザが現在使用中である第２デバイスを介して、前記お知らせ情報を受信確認する段階と、前記内容情報に基づいて、前記第２デバイスに前記受信された第１デバイスの変更された作動状態に係わる内容を表示する段階とをさらに含むことができる。
【００２７】
一実施形態による前記他デバイス状態変更お知らせ方法は、前記受信された内容情報を、前記ユーザが現在使用中である第２デバイスが表示できるフォーマットに変更する段階と、前記変更されたフォーマットの内容情報に基づいて、前記第２デバイスに、前記第１デバイスの変更された作動状態に係わる内容を表示する段階とをさらに含むことができる。
【００２８】
一実施形態による前記他デバイス状態変更お知らせ方法は、前記受信された内容情報に基づいて、前記ユーザが現在使用中である第２デバイスに、前記第１デバイスの変更された作動状態に係わる内容を表示する段階をさらに含み、前記受信された内容情報は、前記ユーザのデバイス間のネットワークの管理サーバを介して、前記第２デバイスで再生できるフォーマットに変更された後、前記第２デバイスで受信されうる。
【００２９】
一実施形態による前記他デバイス状態変更お知らせ方法は、前記受信された内容情報に基づいて、前記ユーザが現在使用中である第２デバイスに、前記第１デバイスの変更された作動状態に係わる内容を表示する段階をさらに含み、前記受信された内容情報は、前記第１デバイスで、前記検索された少なくとも１つのデバイスで再生できるフォーマットに変更された後、前記第２デバイスで受信されうる。
【００３０】
本発明の一実施形態による作動状態変更お知らせが可能なデバイスは、ユーザが使用することができ、ネットワーク通信が可能なデバイス間のネットワーク通信を行うネットワーク通信部と、前記デバイス間ネットワーク中の第１デバイスの作動状態が変更されれば、前記デバイス間ネットワークのうち、前記ユーザが現在使用中である少なくとも１つのデバイスを検索し、前記検索された少なくとも１つのデバイスに、前記第１デバイスの作動状態変更についての情報を生成して伝送する作動状態変更情報伝送部とを含み、前記第１デバイスの作動状態変更についての情報は、前記検索された少なくとも１つのデバイスのうちそれぞれのディスプレイ部に表示されうる。
【００３１】
本発明の一実施形態による他デバイスの作動状態変更お知らせが可能なデバイスは、ユーザが使用することができ、ネットワーク通信が可能な第１デバイスを含むデバイス間のネットワーク通信を行うネットワーク通信部と、前記デバイス間ネットワークのうち、前記ユーザが現在使用中である少なくとも１つのデバイスを検索した第１デバイスから、前記第１デバイスの作動状態変更についての情報を受信する他デバイス作動状態変更情報受信部と、ディスプレイ部と、前記ディスプレイ部に、前記第１デバイスの作動状態変更についての情報を表示するように制御する他デバイス作動状態変更お知らせ制御部とを含む。
【００３２】
本発明は、本発明の一実施形態によるデバイス状態変更お知らせ方法を具現するためのプログラムが記録されたコンピュータで読み取り可能な記録媒体を含む。
【００３３】
本発明は、本発明の一実施形態による他デバイス状態変更お知らせ方法を具現するためのプログラムが記録されたコンピュータで読み取り可能な記録媒体を含む。
【図面の簡単な説明】
【００３４】
【図１】本発明の一実施形態による作動状態変更お知らせが可能なデバイスのブロック図である。
【図２】本発明の一実施形態による他作動状態変更お知らせが可能なデバイスのブロック図である。
【図３Ａ】本発明の一実施形態によるデバイス間ネットワークを図示する図面である。
【図３Ｂ】本発明の一実施形態によるデバイス間ネットワーク及びアクセス可能なネットワークの種類を図示する図面である。
【図４Ａ】本発明の一実施形態によって、デバイス作動状態変更が発生した装置及び他デバイスの状態変更お知らせが可能な装置間の情報交換のための第１方法を図示する図面である。
【図４Ｂ】本発明の一実施形態によって、デバイス作動状態変更が発生した装置及び他デバイスの状態変更お知らせが可能な装置間の情報交換のための第２方法を図示する図面である。
【図４Ｃ】本発明の一実施形態によって、デバイス作動状態変更が発生した装置及び他デバイスの状態変更お知らせが可能な装置間の情報交換のための第３方法を図示する図面である。
【図４Ｄ】本発明の一実施形態によって、デバイス作動状態変更が発生した装置及び他デバイスの状態変更お知らせが可能な装置の一例を図示する図面である。
【図４Ｅ】本発明の一実施形態によって、デバイス作動状態変更が発生した装置及び他デバイスの状態変更お知らせが可能な装置の使用例を図示する図面である。
【図４Ｆ】本発明の一実施形態によって、デバイス作動状態変更が発生した装置及び他デバイスの状態変更お知らせが可能な装置の使用例を図示する図面である。
【図５】本発明の一実施形態による、デバイス状態変更お知らせ方法のフローチャートである。
【図６】本発明の一実施形態による他デバイス状態変更お知らせ方法のフローチャートである。
【発明を実施するための形態】
【００３５】
以下、添付された図面を参照しつつ、本発明の望ましい実施形態について詳細に説明する。
【００３６】
図１は、本発明の一実施形態による作動状態変更お知らせが可能なデバイスのブロック図である。
【００３７】
一実施形態による作動状態変更お知らせが可能なデバイス１００は、ネットワーク通信部１１０及び作動状態変更情報伝送部１２０を含む。
【００３８】
一実施形態によるネットワーク通信部１１０は、ユーザが使用することができ、ネットワーク通信が可能なデバイス間のネットワーク通信を行う。このとき、ネットワーク通信が可能なデバイスは、１人のユーザが使用できるデバイスとして、相互通信が可能であるように構築されているネットワークに属していることが望ましい。デバイス間ネットワークの一例として、無線ワイファイ（wireless Ｗｉ−Ｆｉ）がありうる。ただし、本発明の実施形態の作動環境は、無線ワイファイ規格によるネットワーク環境に限定されるものではない。
【００３９】
一実施形態による作動状態変更情報伝送部１２０は、デバイス間ネットワークに属している現在デバイス１００の作動状態が変更されれば、デバイス間ネットワーク中の他のデバイスのうち、ユーザが現在使用中である少なくとも１つのデバイスを検索する。一実施形態による作動状態変更情報伝送部１２０は、ユーザが現在使用中であると検索された少なくとも１つのデバイスに、現在デバイス１００の作動状態変更についての情報を生成して伝送する。
【００４０】
このとき、伝送された現在デバイス１００の作動状態変更についての情報は、ユーザが現在使用中であるデバイスのディスプレイ部に、現在デバイス１００の作動状態変更いかんを知らせることにより、ユーザとして現在デバイス１００の作動状態変化に対して対応せしめるためである。現在デバイス１００の作動状態変更情報を知らせるために、デバイス間ネットワークに属している対象デバイスは、ディスプレイ部を具備することが望ましい。
【００４１】
現在デバイス１００の作動状態変更についての情報は、作動状態変更情報伝送部１２０からネットワーク通信部１１０を経て出力され、作動状態変更情報伝送部１２０から直接出力されもする。
【００４２】
一実施形態による、作動状態変更お知らせが可能なデバイス１００は、ネットワーキングが可能であり、ユーザが使用可能なあらゆる種類の電子デバイスでありうる。従って、デバイス１００の作動状態が変更された例は、多様な電子デバイスの多様な機能の作動状態が変更された例をいずれも包括できる。例えば、携帯電話の着信音が鳴る場合、洗濯機の洗濯動作が完了する場合、セットトップ・ボックスに予約されたプログラムの放送開始時間がやってきた場合、電子音源をダウンロードしている音響機器のダウンロードが完了する場合、電子レンジの予約調理機能の作動時間が経過した場合などが作動状態変更お知らせが可能なデバイス１００の作動状態が変更された場合である。
【００４３】
作動状態変更お知らせが可能なデバイス１００は、作動状態が変更された後、所定時間の間、ユーザがデバイス１００の作動状態変更に対する反応がない場合、所定時間が経過した後、デバイス間ネットワークを介して、ユーザが現在使用中である他のデバイスを検索できる。例えば、デバイス１００が携帯電話である場合、着信音が２０秒間鳴ったが、ユーザの反応が全くない場合、その後からは、デバイス間ネットワークを介して、ユーザが現在使用中である他のデバイスを検索できる。
【００４４】
一実施形態による作動状態変更情報伝送部１２０は、現在デバイス１００の作動状態変更についての情報を伝送する対象デバイスである現在ユーザが使用中であるデバイスが、デバイス間ネットワーク内で検索されないならば、現在デバイス１００がアクセス可能な共有ネットワークを検索し、ユーザが使用中であるデバイスを検索することもできる。また、現在デバイス１００が保有しているデバイスリスト・データベース（ＤＢ）のうち他のデバイスをスキャンし、ユーザが現在使用中であるデバイスを検索できる。
【００４５】
一実施形態による作動状態変更情報伝送部１２０は、ユーザが現在使用中であるデバイスを検索するという情報を示す検索信号を、デバイス間ネットワークの少なくとも１つのデバイスに対して伝送できる。また、検索信号の伝送なしに、現在デバイス１００が対象デバイスにアクセスし、ユーザが対象デバイスを現在使用中であるか否かを分析し、直接にユーザが現在使用中であるデバイスを検索できる。
【００４６】
または、一実施形態による作動状態変更お知らせが可能なデバイス１００は、対象デバイスが生成して送出するユーザの現在使用いかんを示す情報を獲得することによって、現在デバイス１００の作動状態変更についての情報を伝送する対象デバイスを選択できる。
【００４７】
一実施形態による作動状態変更お知らせが可能なデバイス１００は、デバイス作動状態変更お知らせ機能のオン／オフ（on-off）設定などを介して、ユーザが選択的にデバイス作動状態変更お知らせ機能の使用いかんを設定できる。
【００４８】
一実施形態による作動状態変更についての情報は、作動状態変更お知らせが可能なデバイス１００の作動状態が変更についてのお知らせ情報と、変更された作動状態に係わる内容を表示する内容情報とを含むことができる。
【００４９】
一実施形態による作動状態変更情報伝送部１２０は、作動状態変更お知らせが可能なデバイス１００の変更された作動状態に係わる内容を、対象デバイスが表示できるフォーマットに変更して伝送できる。
【００５０】
一実施形態による内容情報は、ユーザのデバイス間のネットワークの管理サーバを介して、対象デバイスで再生できるフォーマットに変更されて伝送できる。
【００５１】
例えば、作動状態変更お知らせが可能なデバイス１００の変更された作動状態は、ＳＭＳ（short message service）メッセージのようなテキスト基盤のメッセージ受信を含むことができる。一実施形態による作動状態変更お知らせが可能なデバイス１００のメッセージが、対象デバイスが再生できるテキスト形態のデータに変更された後、対象デバイスに表示されうる。また、作動状態変更お知らせが可能なデバイス１００がＭＭＳ（multimedia message service）メッセージのように、イメージまたはオーディオが混合されたテキスト基盤のメッセージを受信することによって作動状態が変更された場合、対象デバイスが再生できるイメージまたはオーディオ及びテキスト形態のデータに変更された後、対象デバイスに表示されうる。
【００５２】
図２は、本発明の一実施形態による他デバイスの作動状態変更お知らせが可能なデバイスのブロック図である。
【００５３】
一実施形態による他デバイスの作動状態変更お知らせが可能なデバイス２００は、ネットワーク通信部１１０’、他デバイス作動状態変更情報受信部２１０、他デバイス作動状態変更お知らせ制御部２２０及びディスプレイ部２３０を含む。他デバイスの作動状態変更お知らせが可能なデバイス２００は、前記図１を参照して記述した作動状態変更お知らせが可能なデバイス１００と共に、デバイス間ネットワークに属していることが望ましい。
【００５４】
一実施形態のネットワーク通信部１１０’は、ユーザが使用することができ、ネットワーク通信が可能なデバイス間のネットワーク通信を行う。
【００５５】
一実施形態の他デバイス作動状態変更情報受信部２１０は、デバイス間ネットワークのうちユーザが現在使用中である少なくとも１つのデバイスを検索し、デバイス間ネットワークに属している第１デバイスから、第１デバイスの作動状態変更についての情報を受信する。第１デバイスは、前記図１を参照して記述した作動状態変更お知らせが可能なデバイス１００と相応しうる。
【００５６】
第１デバイスの作動状態変更についての情報は、ネットワーク通信部１１０’を経て、他デバイス作動状態変更情報受信部２１０に入力され、他デバイス作動状態変更情報受信部２１０に直接入力されもする。
【００５７】
一実施形態による他デバイスの作動状態変更お知らせが可能なデバイス２００は、第１デバイスから、ユーザが現在使用中であるデバイスを検索しているという検索信号を受信することができる。その検索信号によって、他デバイスの作動状態変更お知らせが可能なデバイス２００は、ユーザが現在使用中であるか否かを認知し、第１デバイスに対して、ユーザの現在使用いかんに係わる信号を提供できる。
【００５８】
または、他デバイスの作動状態変更お知らせが可能なデバイス２００は、第１デバイスが、他デバイスの作動状態変更お知らせが可能なデバイス２００に直接にアクセスし、ユーザが現在使用中であるか否かを分析しようとするアクセス要請に対して受け入れることも可能である。
【００５９】
他デバイスの作動状態変更お知らせが可能なデバイス２００は、周期的に、ユーザの現在使用いかんに係わる信号を生成して送出し、ユーザの現在使用中であるデバイスを検索している第１デバイスは、他のデバイスが生成して送出している現在使用いかんに係わる信号を獲得し、ユーザが現在使用中であるデバイスを検索できる。
【００６０】
ユーザが所定デバイスを現在使用しているか否かを判断するためには、最近所定時間以内に、ユーザからの指示または情報入力があったか否かを判断したり、ユーザの当該デバイスに対するログインいかん、ユーザが当該デバイスのセンサ感知範囲以内に位置しているか否かなどが分析されうる。
【００６１】
また、一実施形態による他デバイスの作動状態変更お知らせが可能なデバイス２００は、第１デバイスから受信された作動状態変更お知らせについての情報を、デバイス間ネットワークに属した他のデバイスに伝達することもできる。
【００６２】
一実施形態の他デバイス作動状態変更お知らせ制御部２２０は、ディスプレイ部２３０に第１デバイスの作動状態変更についての情報を表示するように制御する。第１デバイスの作動状態変更についての情報は、お知らせ表示ウインドーを介して表示されうる。お知らせ表示ウインドーの位置、大きさ、透明度、フリッカリング程度、色相などの表示方式は、多様に設定されうる。
【００６３】
一実施形態による作動状態変更についての情報は、第１デバイスの作動状態が変更についてのお知らせ情報と、変更された作動状態に係わる内容を表示する内容情報とを含むことができる。
【００６４】
一実施形態の他デバイス作動状態変更お知らせ制御部２２０は、第１デバイスの変更された作動状態に係わる内容を、他デバイスの作動状態変更お知らせが可能なデバイス２００が表示できるフォーマットに変更できる。
【００６５】
一実施形態による内容情報は、ユーザのデバイス間のネットワークの管理サーバを介して、対象デバイスで再生できるフォーマットに変更された後、他デバイス作動状態変更情報受信部２１０で受信されうる。
【００６６】
または、他デバイス作動状態変更情報受信部２１０は、第１デバイスが他デバイスの作動状態変更お知らせが可能なデバイス２００で再生できるフォーマットのデータに変更した後、伝送された内容情報を受信することができる。
【００６７】
一実施形態の他デバイス作動状態変更お知らせ制御部２２０は、画面に第１デバイスの作動状態変更お知らせ情報のための受信確認ウインドーがディスプレイ部２３０に表示されるように制御できる。ユーザから受信確認が入力されれば、再生可能なフォーマットの内容情報に基づいて、ディスプレイ部２３０に、第１デバイスの変更された作動状態に係わる内容を表示できる。
【００６８】
従って、第１デバイスの変更された作動状態がＳＭＳメッセージ受信状態である場合、第１デバイスのＳＭＳメッセージが、他デバイスの作動状態変更お知らせが可能なデバイス２００で、再生可能なテキスト形態のデータに変更された後、ディスプレイ部２３０に表示されうる。また、第１デバイスがＭＭＳメッセージのように、イメージまたはオーディオが混合されたテキスト基盤のメッセージを受信することによって、作動状態が変更された場合、他デバイスの作動状態変更お知らせが可能なデバイス２００が再生できるイメージまたはオーディオ及びテキスト形態のデータに変更された後、ディスプレイ部２３０に表示されうる。他デバイスの作動状態変更お知らせが可能なデバイス２００は、第１デバイスの作動状態変更についてのお知らせ情報または内容情報の受信または表示を完了した後、第１デバイスに、ユーザが作動状態変更を確認することを知らせることができる。
【００６９】
一実施形態によってデバイス作動状態変更情報の相互共有が可能なネット作動状態変更お知らせが可能なデバイス１００、及び他デバイスの作動状態変更お知らせが可能なデバイス２００を利用し、現在作動状態が変更されたデバイス１００が、ユーザが現在使用中であるデバイス２００を自動的に検索し、作動状態が変更されたデバイス２００に対して、ユーザが効果的に反応できるようにする。また、ユーザが現在使用中であるデバイスを検索するために、アクセス可能なネットワーク内のデバイスが順次に検索されるので、知能的に、状態変更お知らせ情報を伝達する対象デバイスが検索されうる。
【００７０】
前記図１及び２を参照し、作動状態変更お知らせが可能なデバイス１００、及び他デバイス作動状態変更お知らせが可能なデバイス２００が別途に記述した。しかし、１つのデバイスが、作動状態変更お知らせが可能なデバイス１００、及び他デバイス作動状態変更お知らせが可能なデバイス２００の構成要素をいずれも具備し、現在デバイスの状態変更情報を、デバイス間ネットワーク内の他のデバイスに対して知らせる機能、及び他のデバイスの状態変更情報を受信し、お知らせ表示ウインドーをディスプレイする機能をいずれも遂行することも、やはり可能である。
【００７１】
図３Ａは、本発明の一実施形態によるデバイス間ネットワークを図示している。
【００７２】
デバイス間ネットワーク３００に、携帯電話３０２、小型音響機器３０４、デジタルＴＶ（television）３０６、デジタル・カムコーダ３０８が属している。すなわち、携帯電話３０２、音響再生機器３０４、デジタルＴＶ ３０６、デジタル・カムコーダ３０８は、いずれもネットワーク通信が可能であり、同一ネットワーク内のデバイスとして相互登録されたものである。
【００７３】
例えば、携帯電話３０２が、作動状態変更お知らせが可能なデバイス１００の一例であり、デバイス間ネットワーク３００の他のデバイスである音響再生機器３０４、デジタルＴＶ ３０６及びデジタル・カムコーダ３０８は、図２を参照しつつ述べた他デバイス状態変更情報お知らせが可能なデバイス２００の実施形態に該当する。
【００７４】
携帯電話３０２の着信音が鳴るが、ユーザがこれに反応しないならば、携帯電話３０２は、デバイス間ネットワークのうちから、現在作動状態変更についての情報を伝送する対象デバイスを検索する。携帯電話３０２は、デバイス間ネットワーク３００の他のデバイスである音響再生機器３０４、デジタルＴＶ ３０６及びデジタル・カムコーダ３０８のうち、ユーザが現在使用中であるデバイスを検索できる。すなわち、携帯電話３０２は、ユーザが現在使用中であると検索されたデバイスに対して、携帯電話３０２の着信音が鳴っていることを示す状態変更お知らせ情報を伝送できる。
【００７５】
図３Ｂは、本発明の一実施形態によるデバイス間ネットワーク及びアクセス可能なネットワークの種類を図示している。
【００７６】
一実施形態による携帯電話３０２は、優先的に、デバイス１００とユーザ情報を共有するように構築されているデバイス間ネットワーク３００に対して、ユーザが現在使用中であるデバイスを検索する。ただし、デバイス間ネットワーク３００で、ユーザが現在使用中であるデバイスが検索されないならば、携帯電話３０２と共に、洗濯機３１４及び冷蔵庫３１６を含んでいる共有ネットワーク３１０から、副次的にユーザが現在使用中であるデバイスを検索することもできる。
【００７７】
それ以外にも、携帯電話３０２は、近隣インフラネットワーク３２０の他の携帯電話３２４及びノート型パソコン３２６に対して、ユーザの現在使用中であるデバイスを検索することもできる。また、携帯電話３０２が、ネットワーク通信が可能なデバイスのリストを含んでいるデバイスリスト・データベース（ＤＢ）３４０を具備している場合、携帯電話３０２は、周辺アクセス可能なネットワークから、ユーザが現在使用中であるデバイスを検索できないならば、デバイスリストを利用し、ユーザが現在使用中であるデバイスを検索することもできる。
【００７８】
図４Ａ、図４Ｂ、図４Ｃ、図４Ｄ、図４Ｅ及び図４Ｆを参照し、一実施形態によって、デバイス作動状態変更が発生した装置、及び他デバイスの状態変更お知らせが可能な装置間の情報交換のための方法を図示する。図４Ａ、図４Ｂ、図４Ｃ、図４Ｄ、図４Ｅ及び図４Ｆの実施形態で、携帯電話４０５は、作動状態変更お知らせが可能なデバイス１００の一例であり、デジタルＴＶ ４１０は、他デバイスの作動状態変更お知らせが可能なデバイス２００の一例である。
【００７９】
図４Ａは、本発明の一実施形態によって、デバイス作動状態変更が発生した装置及び他デバイスの状態変更お知らせが可能な装置間の情報交換のための第１方法を図示している。
【００８０】
ユーザ４００は、リモコンを介して、デジタルＴＶ ４１０を使用中である（段階ａ−０）。このとき、他の部屋にあるユーザ４００の携帯電話４０５の着信音が鳴るが、ユーザ４００は、着信音を感知できない。
【００８１】
携帯電話４０５の着信音が所定時間の間鳴っていても、ユーザ４００が全く反応がないならば、携帯電話４０５は、デバイス間ネットワークのうち、ユーザ４００が現在使用中であるデバイスを検索しようとする検索信号を、デジタルＴＶ ４１０に伝送する（段階ａ−１）。
【００８２】
携帯電話４０５は、デジタルＴＶ ４１０をユーザ４００が現在使用しているか否かを確認する（段階ａ−２）。この場合、デジタルＴＶ ４１０は、携帯電話４０５のアクセス許容要請を受諾したり、携帯電話４０５から要請を受けたユーザ４００の現在使用についての情報を提供することが望ましい。
【００８３】
または、ユーザ４００が、現在デジタルＴＶ ４１０を使用しているか否かを判断するためには、最近所定時間内に、ユーザ４００から入力信号または指示があったか否かに係わる履歴（history）が分析されうる。デジタルＴＶ ４１０に、ユーザ４００がログインしたが否か、またはデジタルＴＶ ４１０に装着された各種センサに、ユーザ４００が感知されているか否かなどを利用し、ユーザ４００が現在デジタルＴＶ ４１０を使用しているか否かを判断しもする。
【００８４】
ユーザ４００がデジタルＴＶ ４１０を使用していると確認されたとするなら、携帯電話４０５は、デジタルＴＶ ４１０に対して、着信音が鳴っているという情報、すなわち、状態変更お知らせ情報を伝送する（段階ａ−３）。
【００８５】
デジタルＴＶ ４１０は、携帯電話４０５から着信音が鳴っているというお知らせ情報を受信し、デジタルＴＶ ４１０のディスプレイ画面の一部領域４２０に、ユーザ４００の携帯電話４０５の着信音が鳴っているという情報を表示する（段階ａ−４）。
【００８６】
図４Ｂは、本発明の一実施形態によって、デバイス作動状態変更が発生した装置と、他デバイスの状態変更お知らせが可能な装置との情報交換のための第２方法を図示している。
【００８７】
ユーザ４００は、リモコンを介してデジタルＴＶ ４１０を使用中（段階ｂ−０）であり、他の部屋にあるユーザ４００の携帯電話４０５の着信音が鳴っているが、ユーザ４００は、着信音を感知できない。
【００８８】
携帯電話４０５の着信音が所定時間の間鳴っていても、ユーザ４００が全く反応がないならば、携帯電話４０５は、デバイス間ネットワークのうち、ユーザ４００が現在使用中であるデバイスを検索しようとする検索信号を、デジタルＴＶ ４１０に伝送する（段階ｂ−１）。
【００８９】
デジタルＴＶ ４１０は、携帯電話４０５の検索信号を受信し、ユーザ４００の現在使用状態を認知する（段階ｂ−２）。デジタルＴＶ ４１０が、ユーザ４００が現在デジタルＴＶ ４１０を使用しているか否かを判断する場合にも、最近所定時間内に、ユーザ４００から入力信号または指示があったか否か、ユーザ４００のログイン状態、またはデジタルＴＶ ４１０に装着された各種センサに、ユーザ４００が感知されているか否かなどが分析されうる。
【００９０】
ユーザ４００が、デジタルＴＶ ４１０を使用していると確認されたとするなら、デジタルＴＶ ４１０は、携帯電話４０５に対して、ユーザ４００が現在デジタルＴＶ ４１０を使用中であるというユーザ状態信号を伝送する（段階ｂ−３）。
【００９１】
携帯電話４０５は、デジタルＴＶ ４１０に対して、着信音が鳴っているという情報、すなわち、状態変更お知らせ情報を伝送する（段階ｂ−４）。
【００９２】
デジタルＴＶ ４１０は、携帯電話４０５から着信音が鳴っているというお知らせ情報を受信し、デジタルＴＶ ４１０のディスプレイ画面の一部領域４２０に、ユーザ４００の携帯電話４０５の着信音が鳴っているという情報を表示する（段階ｂ−５）。
【００９３】
図４Ｃは、本発明の一実施形態によって、デバイス作動状態変更が発生した装置と、他デバイスの状態変更お知らせが可能な装置との情報交換のための第３方法を図示している。
【００９４】
ユーザ４００は、リモコンを介してデジタルＴＶ ４１０を使用中（段階ｃ−０）であり、他の部屋にあるユーザ４００の携帯電話４０５の着信音が鳴っているが、ユーザ４００は、着信音を感知できない。
【００９５】
デジタルＴＶ ４１０は、随時ユーザ４００の使用状態について認知する（段階ｃ−１）。もしユーザ４００が、デジタルＴＶ ４１０を現在使用しているならば、デジタルＴＶ ４１０は、ユーザ４００の現在使用状態に係わる信号を送出する（段階ｃ−２）。
【００９６】
携帯電話４０５の着信音が所定時間の間鳴っていても、ユーザ４００が全く反応しないならば、携帯電話４０５は、デバイス間ネットワークのうち、ユーザ４００が現在使用中であるデバイスを検索する（段階ｃ−３）。
【００９７】
携帯電話４０５は、デジタルＴＶ ４１０が送出しているユーザ４００の現在使用状態に係わる信号を獲得し、ユーザ４００が、現在デジタルＴＶ ４１０を使用しているという事実を確認する（段階ｃ−４）。
【００９８】
携帯電話４０５は、デジタルＴＶ ４１０に対して、着信音が鳴っているという情報、すなわち、状態変更お知らせ情報を伝送する（段階ｃ−５）。
【００９９】
デジタルＴＶ ４１０は、携帯電話４０５から着信音が鳴っているというお知らせ情報を受信し、デジタルＴＶ ４１０のディスプレイ画面の一部領域４２０に、ユーザ４００の携帯電話４０５の着信音が鳴っているという情報を表示する（段階ｃ−６）。
【０１００】
以下、図４Ｄ、図４Ｅ及び図４Ｆを参照し、ユーザ４００の携帯電話４０５にメッセージが受信された場合に、デバイス作動状態変更が発生した携帯電話４０５、及び他デバイスの状態変更お知らせが可能なデジタルＴＶ ４１０の実施形態を図示する。
【０１０１】
図４Ｄは、本発明の一実施形態によって、デバイス作動状態変更が発生した装置と、他デバイスの状態変更お知らせが可能な装置との一例を図示している。
【０１０２】
ユーザ４００は、リモコンを介してデジタルＴＶ ４１０を使用中であり、他の部屋にある携帯電話４０５に、ＳＭＳメッセージが受信された状態（４０７）であるが、ユーザ４００は、ＳＭＳメッセージ受信状態を感知できない。
【０１０３】
デバイス間の作動状態変更についての情報交換のために、前述の第１方法、第２方法及び第３方法などを介して、携帯電話４０５及びデジタルＴＶ ４１０は、メッセージ受信状態についての情報を交換できる。
【０１０４】
デジタルＴＶ ４１０は、携帯電話４０５のＳＭＳメッセージ受信状態を示すお知らせ情報を受信し、デジタルＴＶ ４１０のディスプレイ画面の一部領域４２５に、ユーザ４００の携帯電話４０５にＳＭＳメッセージが到着したという情報が表示される。
【０１０５】
図４Ｅ及び図４Ｆは、本発明の一実施形態によって、デバイス作動状態変更が発生した装置及び他デバイスの状態変更お知らせが可能な装置の使用例を図示している。
【０１０６】
デジタルＴＶ ４１０は、携帯電話４０５のＳＭＳメッセージ受信状態を示すお知らせ情報と共に、ＳＭＳメッセージの内容を示す内容情報を受信することができる。デジタルＴＶ ４１０は、お知らせ情報に基づいて、画面にメッセージ到着お知らせウインドー４３０を表示し、ユーザからＳＭＳメッセージを確認するか否かを入力されうる。
【０１０７】
ユーザ４００が、デジタルＴＶ ４１０を介してお知らせ情報を受信確認すれば、受信されたＳＭＳメッセージ内容情報に基づいて、デジタルＴＶ ４１０は、携帯電話４０５のＳＭＳメッセージ表示ウインドー４３５を画面に表示できる。
【０１０８】
受信された内容情報のＳＭＳメッセージが、デジタルＴＶ ４１０で再生されて画面に表示されうるフォーマットがないならば、デジタルＴＶ ４１０は、再生可能なフォーマットのデータに変更し、ＳＭＳメッセージ表示ウインドー４３５を画面に表示できる。
【０１０９】
または、ユーザのデバイス間のネットワークの管理サーバが、デジタルＴＶ ４１０で再生できるフォーマットに変更したＳＭＳメッセージ情報を伝送し、デジタルＴＶ ４１０が、フォーマット変更されたＳＭＳメッセージ情報を受信し、ＳＭＳメッセージ表示ウインドー４３５を画面に表示できる。
【０１１０】
または、ユーザの携帯電話４０５が、デジタルＴＶ ４１０で再生できるフォーマットに変更したＳＭＳメッセージ情報を伝送し、デジタルＴＶ ４１０が、フォーマット変更されたＳＭＳメッセージ情報を受信し、ＳＭＳメッセージ表示ウインドー４３５を画面に表示できる。
【０１１１】
例えば、携帯電話４０５が、ＳＭＳメッセージのようなテキスト基盤のメッセージを受信した場合、デジタルＴＶ ４１０が再生できるテキスト形態のデータに変更された後、デジタルＴＶ ４１０に表示されうる。また、携帯電話４０５が、ＭＭＳメッセージのように、イメージまたはオーディオが混合されたテキスト基盤のメッセージを受信することによって、作動状態が変更された場合、デジタルＴＶ ４１０が再生できるイメージ、オーディオ及びテキストなどを含むデータに変更された後、対象デバイスに表示されうる。
【０１１２】
デジタルＴＶ ４１０は、携帯電話４０５のメッセージ受信についてのお知らせ情報またはメッセージ内容情報を受信したり表示を完了した後、携帯電話４０５に対して、ユーザがメッセージ受信を確認したことを知らせることができる。
【０１１３】
以上の図１、図２、図３Ａ、図３Ｂ、図４Ａ、図４Ｂ、図４Ｃ、図４Ｄ、図４Ｅ及び図４Ｆを参照しつつ記述した一実施形態によるデバイス状態変更お知らせが可能なデバイス１００、及び一実施形態による他デバイス状態変更お知らせが可能なデバイス２００は、デバイス間のネットワークを管理制御するホームサーバのような中央サーバの制御によって、作動されもする。
【０１１４】
図５は、本発明の一実施形態による、デバイス状態変更お知らせ方法のフローチャートを図示している。
【０１１５】
段階５１０で、ユーザが使用することができ、ネットワーク通信が可能なデバイス間のネットワークが形成される。ユーザのデバイスは、デバイス間ネットワークに登録することによって従属されうる。
【０１１６】
段階５２０で、デバイス間ネットワーク中の第１デバイスの作動状態が変更されれば、デバイス間ネットワークのうち、ユーザが現在使用中である少なくとも１つのデバイスが検索される。第１デバイスは、あらかじめ構築されたデバイス間のネットワークのうち、ユーザが現在使用中であるデバイスを検索する。
【０１１７】
ユーザが現在使用中であるデバイスを検索する方法としては、デバイスに対して、ユーザの現在使用状態情報を要請したり、デバイスの作動履歴を直接分析したり、デバイスが送出しているユーザの現在使用状態情報を獲得する方法などがありうる。
【０１１８】
段階５３０で、ユーザが現在使用中であると検索された少なくとも１つのデバイスに対して、第１デバイスの作動状態変更についての情報が伝送される。第１デバイスの作動状態変更についての情報は、検索されたデバイスのディスプレイ部に表示されるので、ユーザは、現在使用している第２デバイスのディスプレイ部から、第１デバイスの状態変更についての情報を得ることができる。
【０１１９】
第１デバイスの作動状態変更についての情報は、作動状態変更のお知らせ情報と、変更された作動状態に係わる内容情報とを含むことができる。第１デバイスの内容情報は、第１デバイスまたはデバイス間のネットワークのサーバを介して、第２デバイスで再生できるフォーマットのデータに変更されて伝送されうる。
【０１２０】
図６は、本発明の一実施形態による他デバイス状態変更お知らせ方法のフローチャートを図示している。
【０１２１】
段階６１０で、ユーザが使用することができ、ネットワーク通信が可能な第１デバイス及び少なくとも１つのデバイスを含むデバイス間のネットワークが形成される。
【０１２２】
段階６２０で、デバイス間ネットワークのうち、ユーザが現在使用中である少なくとも１つのデバイスを検索した第１デバイスから、ユーザが現在使用中である少なくとも１つのデバイスにおいて、第１デバイスの作動状態変更についての情報が受信される。第１デバイスから、ユーザが現在使用中である少なくとも１つのデバイスを検索しようとする検索信号を受信することができる。
【０１２３】
検索信号を受信したデバイスは、ユーザが現在使用中であるか否かを確認することができる。ユーザが、現在使用中であるデバイスが、現在ユーザが使用中であるか否かを示す情報を送出することもでき、第１デバイスが他のデバイスに直接アクセスし、ユーザが現在使用中であるか否かを分析することもできる。
【０１２４】
段階６３０で、ユーザが現在使用中である少なくとも１つのデバイスのそれぞれのディスプレイ部に、第１デバイスの作動状態変更についての情報が表示される。第１デバイスの作動状態変更についての情報が表示されるお知らせ表示ウインドーが、ディスプレイ画面に表示される大きさ、位置、フリッカリング程度、色相、透明度などの表示方式は、ユーザの設定によって多様に変更されうる。
【０１２５】
ユーザが現在使用中であるデバイスは、第１デバイスの作動状態変更を、お知らせ表示ウインドーをディスプレイ画面に表示した後、ユーザから、受信確認いかんが入力されうる。ユーザの受信確認後、第１デバイスの変更された作動状態の内容が、ユーザが現在使用中であるデバイスのディスプレイ画面に表示されうる。
【０１２６】
第１デバイスの内容情報が、現在使用中であるデバイスで再生できないフォーマットであるならば、現在使用中であるデバイスによって再生可能なフォーマットのデータに変更された後、ディスプレイ画面に表示されうる。または、第１デバイスまたはデバイス間ネットワークのサーバを介して、ユーザが現在使用中であるデバイスで再生できるフォーマットのデータに変更された第１デバイスの内容情報が、現在使用中であるデバイスで受信されうる。また第１デバイスによって、第１デバイスの内容情報が、ユーザが現在使用中であるデバイスのディスプレイ画面で再生できるフォーマットのデータに変更された後で伝送され、現在使用中であるデバイスが、第１デバイスによって変更されたフォーマットの内容情報を受信し、ディスプレイ画面に第１デバイスの変更された作動状態に係わる内容を再生できる。
【０１２７】
一方、前述の本発明の実施形態は、コンピュータで実行できるプログラムで作成可能であり、コンピュータで読み取り可能な記録媒体を利用し、前記プログラムを動作させる汎用デジタル・コンピュータで具現されうる。前記コンピュータで読み取り可能な記録媒体は、マグネチック記録媒体（例えば、ＲＯＭ（read-only memory）、フロッピー（登録商標）ディスク、ハードディスクなど）、光学的判読媒体（例えば、ＣＤ−ＲＯＭ、ＤＶＤなど）、及びキャリアウェーブ（例えば、インターネットを介した伝送）のような記録媒体を含む。
【０１２８】
以上、本発明について、その望ましい実施形態を中心に説明した。本発明が属する技術分野で当業者であるならば、本発明が本発明の本質的な特性から外れない範囲で変形された形態に具現されうることを理解することができるであろう。従って、開示された実施形態は、限定的な観点ではなくして、説明的な観点から考慮されねばならない。本発明の範囲は、前述の説明ではなくして、特許請求の範囲に示されており、それと同等な範囲内にあるあらゆる差異点は、本発明に含まれたものであると解釈されねばならない。
【符号の説明】
【０１２９】
１００，２００    デバイス
１１０，１１０’    ネットワーク通信部
１２０    作動状態変更情報伝送部
２１０    他デバイス作動状態変更情報受信部
２２０    他デバイス作動状態変更お知らせ制御部
２３０    ディスプレイ部
３００    デバイス間ネットワーク
３０２，３２４，４０５    携帯電話
３０４    小型音響機器
３０６，４１０    デジタルＴＶ
３０８    デジタル・カムコーダ
３１４    洗濯機
３１６    冷蔵庫
３１０    共有ネットワーク
３２０    近隣インフラネットワーク
３２６    ノート型パソコン
３４０    デバイスリスト・データベース
４００    ユーザ
４０７    ＳＭＳメッセージ受信状態
４２０，４２５    画面の一部領域
４３０    メッセージ到着お知らせウインドー
４３５    ＳＭＳメッセージ表示ウインドー
【図１】
2011045083.tif 000003
【図２】
2011045083.tif 000004
【図３Ａ】
2011045083.tif 000005
【図３Ｂ】
2011045083.tif 000006
【図４Ａ】
2011045083.tif 000007
【図４Ｂ】
2011045083.tif 000008
【図４Ｃ】
2011045083.tif 000009
【図４Ｄ】
2011045083.tif 000010
【図４Ｅ】
2011045083.tif 000011
【図４Ｆ】
2011045083.tif 000012
【図５】
2011045083.tif 000013
【図６】
2011045083.tif 000014